(57)【要約】【課題】誤配線が発生した場合でも内部回路を保護できる電気機器、電力変換システム、及び端子台を提供する。【解決手段】第１機器２１は、一対の接続端子Ｔ１１，Ｔ１２と、ダイオードＤ１と、を備える。一対の接続端子Ｔ１１，Ｔ１２は、直流電圧が入力されるＤＣ／ＡＣコンバータ２１２の入力端に電気的に接続されている。ダイオードＤ１は、一対の接続端子Ｔ１１，Ｔ１２のうち高電位側の接続端子Ｔ１１にカソードが接続されるように、一対の接続端子Ｔ１１，Ｔ１２の間に接続されている。【選択図】図１
2018170938.tif 000002
【特許請求の範囲】
【請求項１】
直流電圧が入力される入力回路と直流電圧を出力する出力回路との少なくとも一方を有する内部回路と、
前記入力回路の入力端と前記出力回路の出力端との少なくとも一方に電気的に接続される一対の接続端子と、
前記一対の接続端子のうち高電位側の接続端子にカソードが接続されるように、前記一対の接続端子の間に接続されたダイオードと、を備える
電気機器。
【請求項２】
前記ダイオードに過電流が流れると保護動作を行う過電流保護部品を、更に備える
請求項１に記載の電気機器。
【請求項３】
前記一対の接続端子を有する端子台を、更に備え、
前記端子台に前記ダイオードが設けられている
請求項１又は２に記載の電気機器。
【請求項４】
前記一対の接続端子を有する端子台を、更に備え、
前記端子台に前記過電流保護部品が設けられている
請求項２に記載の電気機器。
【請求項５】
前記一対の接続端子を有する端子台を、更に備え、
前記端子台に前記ダイオードと前記過電流保護部品とが設けられている
請求項２に記載の電気機器。
【請求項６】
前記端子台に、前記一対の接続端子の間に過電圧が印加されると保護動作を行う過電圧保護部品が設けられている
請求項３〜５のいずれか１項に記載の電気機器。
【請求項７】
前記内部回路が有極性のコンデンサを備えており、
前記ダイオードは、前記一対の接続端子のうち低電位側の接続端子から前記コンデンサを通らずに前記高電位側の接続端子へと電流が流れる電流経路に接続されている
請求項１〜６のいずれか１項に記載の電気機器。
【請求項８】
請求項１〜７のいずれか１項に記載の電気機器を備え、
直流電力と交流電力との電力変換を行う
電力変換システム。
【請求項９】
複数の前記電気機器を備え、
前記複数の電気機器は、直流を交流に変換するＤＣ／ＡＣコンバータを前記入力回路として備える第１機器と、直流を直流に変換するＤＣ／ＤＣコンバータを前記出力回路として備える第２機器とを含み、
前記第１機器が備える前記一対の接続端子と、前記第２機器が備える前記一対の接続端子とが電気的に接続されており、
前記第１機器の前記ＤＣ／ＡＣコンバータは、前記第２機器の前記ＤＣ／ＤＣコンバータから入力される直流を交流に変換する
請求項８に記載の電力変換システム。
【請求項１０】
前記第１機器は、前記出力回路として、直流を直流に変換するＤＣ／ＤＣコンバータを更に備え、
前記第１機器の前記ＤＣ／ＡＣコンバータは、前記第２機器の前記ＤＣ／ＤＣコンバータと前記第１機器の前記ＤＣ／ＤＣコンバータとの少なくとも一方から入力される直流を交流に変換する
請求項９に記載の電力変換システム。
【請求項１１】
請求項３〜６のいずれか１項に記載の電気機器が備える端子台であって、
前記一対の接続端子と、前記一対の接続端子を保持する本体と、を備える
端子台。
【発明の詳細な説明】
【技術分野】
【０００１】
本発明は、電気機器、電力変換システム、及び端子台に関し、特に、直流電圧を入力又は出力するための接続端子を有する電気機器、電力変換システム、及び端子台に関する。
【背景技術】
【０００２】
従来、分散電源を系統連系するパワーコンディショナと、追加電源を増設するための追加ユニットとを備えた電力制御システムがあった（例えば特許文献１参照）。パワーコンディショナは、分散電源が出力する電力の電圧を昇圧又は降圧するＤＣ／ＤＣコンバータと、ＤＣ／ＤＣコンバータの出力を交流に変換するインバータとを備える。インバータの出力端には系統及び宅内などの負荷が接続されており、インバータは系統と連系して負荷に電力を供給可能である。追加ユニットは、追加の分散電源が出力する電力の電圧を昇圧又は降圧するＤＣ／ＤＣコンバータを備えている。追加ユニットのＤＣ／ＤＣコンバータの出力端は、パワーコンディショナにおいてＤＣ／ＤＣコンバータとインバータとの接続箇所であるＤＣ中間リンク部分に電気的に接続される。
【先行技術文献】
【特許文献】
【０００３】
【特許文献１】特開２０１５−１２２９０６号公報
【発明の概要】
【発明が解決しようとする課題】
【０００４】
特許文献１に記載された電力制御システムにおいて、パワーコンディショナと追加ユニットとの間を電線で接続する場合に、電線の誤接続が発生する可能性がある。例えば、追加ユニットの高電位側の出力端が、低電位側のＤＣ中間リンク部分に誤接続され、追加ユニットの低電位側の出力端が、高電位側のＤＣ中間リンク部分に誤接続される可能性があった。このような誤配線が発生すると、パワーコンディショナ又は追加ユニットの内部回路に過大な電圧が加わる可能性があった。
【０００５】
本発明の目的は、誤配線が発生した場合でも内部回路を保護できる電気機器、電力変換システム、及び端子台を提供することにある。
【課題を解決するための手段】
【０００６】
本発明の一態様の電気機器は、内部回路と、一対の接続端子と、ダイオードと、を備える。前記内部回路は、直流電圧が入力される入力回路と直流電圧を出力する出力回路との少なくとも一方を有する。前記一対の接続端子は、前記入力回路の入力端と前記出力回路の出力端との少なくとも一方に電気的に接続される。前記ダイオードは、前記一対の接続端子のうち高電位側の接続端子にカソードが接続されるように、前記一対の接続端子の間に接続される。
【０００７】
本発明の一態様の電力変換システムは、前記電気機器を備え、直流電力と交流電力との電力変換を行う。
【０００８】
本発明の一態様の端子台は、前記電気機器に備えられ、前記一対の接続端子と、前記一対の接続端子を保持する本体と、を備える。
【発明の効果】
【０００９】
本発明によれば、誤配線が発生した場合でも内部回路を保護できる。
【図面の簡単な説明】
【００１０】
【図１】図１は、本発明の実施形態１に係る電気機器を備えた電力変換システムのシステム構成図である。
【図２】図２は、同上の電力変換システムの要部の回路図である。
【図３】図３は、本発明の実施形態１の変形例１に係る電気機器を備えた電力変換システムのシステム構成図である。
【図４】図４は、本発明の実施形態１の変形例２に係る電気機器を備えた電力変換システムの要部の回路図である。
【図５】図５は、本発明の実施形態２に係る電気機器の説明図である。
【図６】図６は、本発明の実施形態２の変形例１に係る電気機器の説明図である。
【図７】図７は、本発明の実施形態２の変形例２に係る電気機器の説明図である。
【図８】図８は、本発明の実施形態２の変形例３に係る電気機器の説明図である。
【発明を実施するための形態】
【００１１】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１２】
（実施形態１）
（１）構成
図１は、本実施形態の電気機器を備える電力変換システム１のシステム構成図である。
【００１３】
本実施形態の電力変換システム１は需要家施設Ｆ１に用いられる。需要家施設Ｆ１は、交流電力を供給する電力事業者から交流電力が供給される電力需要家の施設（例えば戸建て住宅）である。
【００１４】
電力変換システム１は、電気機器として、太陽光発電装置１１で発電された直流電力を交流電力に変換する第１機器２１を備える。第１機器２１は、内部回路としてＤＣ／ＤＣコンバータ２１１及びＤＣ／ＡＣコンバータ２１２と、第１制御回路２１３と、第１通信回路２１４と、一対の接続端子Ｔ１１，Ｔ１２と、ダイオードＤ１とを備えている。
【００１５】
ＤＣ／ＤＣコンバータ２１１は、直流電圧を出力する出力回路である。ＤＣ／ＤＣコンバータ２１１は、例えば昇圧型のチョッパ回路であり、太陽光発電装置１１から入力される直流電圧を所定の電圧値（例えば３００Ｖ）の直流電圧Ｖ１に変換する。なお、ＤＣ／ＤＣコンバータ２１１は、降圧型、昇降圧型などのチョッパ回路でもよい。
【００１６】
ＤＣ／ＡＣコンバータ２１２は、直流電圧が入力される入力回路である。ＤＣ／ＡＣコンバータ２１２は、例えばフルブリッジ型のインバータ回路であり、ＤＣ／ＤＣコンバータ２１１から入力される直流電圧Ｖ１を、商用電源のような交流電源１００の交流電圧（例えばＡＣ１００［Ｖ］、５０／６０［Ｈｚ］の交流電圧）に変換する。なお、ＤＣ／ＡＣコンバータ２１２は、フルブリッジ型のインバータ回路に限定されず、ハーフブリッジ型のインバータ回路でもよい。
【００１７】
第１制御回路２１３は、ＤＣ／ＤＣコンバータ２１１及びＤＣ／ＡＣコンバータ２１２の出力を制御する。また、第１制御回路２１３は、第１機器２１に接続される第２機器２２の動作を制御する機能も備えている。第１制御回路２１３は、例えば、ＣＰＵ（Central Processing Unit）とメモリとを有するマイクロコンピュータを備えている。ＣＰＵがメモリに格納されているプログラムを実行することによって、第１制御回路２１３の機能が実現される。ＣＰＵが実行するプログラムは、例えば、マイクロコンピュータのメモリにあらかじめ記憶されているが、インターネットなどの電気通信回線を通じて提供されてもよいし、メモリカード等の記録媒体に記録されて提供されてもよい。
【００１８】
第１通信回路２１４は、例えばイーサネット（登録商標）規格に準拠した通信モジュールを備え、インターネットのようなネットワークを介して電力事業者のサーバなどと通信する。また、第１通信回路２１４は、無線局の免許が不要な近距離無線通信方式で無線通信を行う通信モジュールを備えており、第２機器２２との間で無線通信を行う。なお、無線局の免許が不要な近距離無線通信方式の通信モジュールとしては、例えば、Ｗｉ−ＳＵＮ（登録商標）（Wireless Smart Utility Network）規格に準拠した通信モジュールなどがある。なお、第１通信回路２１４と第２機器２２との通信方式は無線通信に限定されず、電力線搬送通信などの有線通信でもよい。
【００１９】
ＤＣ／ＤＣコンバータ２１１とＤＣ／ＡＣコンバータ２１２との間を電気的に接続する直流のバスラインＬ１，Ｌ２にはダイオードＤ１が接続されている。ダイオードＤ１のカソードは、バスラインＬ１，Ｌ２のうち高電位側のバスラインＬ１に電気的に接続され、ダイオードＤ１のアノードは、バスラインＬ１，Ｌ２のうち低電位側のバスラインＬ２に電気的に接続される。なお、ダイオードＤ１は、互いに並列に接続された複数のダイオードで構成されてもよく、個々のダイオードに流れる電流を低減できる。
【００２０】
一対の接続端子Ｔ１１，Ｔ１２は、ＤＣ／ＤＣコンバータ２１１とＤＣ／ＡＣコンバータ２１２との間を電気的に接続する直流のバスラインＬ１，Ｌ２にそれぞれ電気的に接続されている。接続端子Ｔ１１は、バスラインＬ１，Ｌ２のうち直流電圧Ｖ１の高電位側のバスラインＬ１に電気的に接続される。接続端子Ｔ１２は、バスラインＬ１，Ｌ２のうち直流電圧Ｖ１の低電位側のバスラインＬ２に電気的に接続される。ここで、第１機器において、内部回路であるＤＣ／ＤＣコンバータ２１１は、有極性の電解コンデンサからなるコンデンサＣ１１を出力端に備えている。また、第１機器において、内部回路であるＤＣ／ＡＣコンバータ２１２は、有極性の電解コンデンサからなるコンデンサＣ１２を入力端に備えている。そして、ダイオードＤ１は低電位側の接続端子Ｔ１２からコンデンサＣ１１，Ｃ１２を通らずに高電位側の接続端子Ｔ１１へと電流が流れる電流経路に接続されている。
【００２１】
第１機器２１から出力される交流電力は、需要家施設Ｆ１内の負荷３０で消費されるか、又は、交流電源１００に出力（売電）される。
【００２２】
ところで、電力事業者は、需要家施設Ｆ１から売電される電力が過剰になると、需要家施設Ｆ１に対して出力抑制を指示する場合がある。本実施形態の電力変換システム１では、出力抑制時にも太陽光発電装置１１の発電電力を有効に利用できるように、蓄電池ユニット１２と、電気機器である第２機器２２と、を備えている。ここで、太陽光発電装置１１と第１機器２１とが設置されている需要家施設Ｆ１に、後から蓄電池ユニット１２と第２機器２２とを設置できるように、第１機器２１は、第２機器２２を電気的に接続するための接続端子Ｔ１１，Ｔ１２を備えている。
【００２３】
蓄電池ユニット１２は、例えば、直列又は並列に接続された複数のリチウムイオン蓄電池を備えている。蓄電池ユニット１２は、太陽光発電装置１１で発電された直流電力を蓄電する。蓄電池ユニット１２は、二次電池として複数のリチウムイオン蓄電池を備えているが、ニッケル水素蓄電池、鉛蓄電池、キャパシタなどの二次電池を備えていてもよい。
【００２４】
第２機器２２は、内部回路であるＤＣ／ＤＣコンバータ２２１と、第２制御回路２２２と、第２通信回路２２３と、一対の第１接続端子Ｔ２１，Ｔ２２と、一対の第２接続端子Ｔ２３，Ｔ２４と、ダイオードＤ２とを備えている。
【００２５】
一対の第１接続端子Ｔ２１，Ｔ２２の間には蓄電池ユニット１２が電気的に接続される。ここで、第１接続端子Ｔ２１は蓄電池ユニット１２のプラス極に接続され、第１接続端子Ｔ２２が蓄電池ユニット１２のマイナス極に接続される。
【００２６】
一対の第２接続端子Ｔ２３，Ｔ２４は、それぞれ電線などの導電部材を介して第１機器の接続端子Ｔ１１，Ｔ１２に電気的に接続される。
【００２７】
ＤＣ／ＤＣコンバータ２２１は、例えば昇降圧型の双方向ＤＣ／ＤＣコンバータである。ＤＣ／ＤＣコンバータ２２１は、一対の第１接続端子Ｔ２１，Ｔ２２と、一対の第２接続端子Ｔ２３，Ｔ２４との間で、双方向の電圧変換を行う。
【００２８】
蓄電池ユニット１２から放電する場合、ＤＣ／ＤＣコンバータ２２１は、第１接続端子Ｔ２１，Ｔ２２から入力される蓄電池ユニット１２の放電電圧を、所定の電圧値の直流電圧に変換して、第２接続端子Ｔ２３，Ｔ２４に出力する。ＤＣ／ＤＣコンバータ２２１から出力される直流電圧は、第１機器２１のバスラインＬ１，Ｌ２に入力される。この場合、ＤＣ／ＤＣコンバータ２２１は直流電圧を出力する出力回路となり、ＤＣ／ＤＣコンバータ２２１の出力端が第２接続端子Ｔ２３，Ｔ２４に電気的に接続される。
【００２９】
蓄電池ユニット１２を充電する場合、ＤＣ／ＤＣコンバータ２２１は、第２接続端子Ｔ２３，Ｔ２４から入力される直流電圧（バスラインＬ１，Ｌ２の直流電圧）の電圧値を変換して、第１接続端子Ｔ２１，Ｔ２２に出力する。ＤＣ／ＤＣコンバータ２２１から出力される直流電圧によって蓄電池ユニット１２が充電される。この場合、ＤＣ／ＤＣコンバータ２２１は直流電圧が入力される入力回路となり、ＤＣ／ＤＣコンバータ２２１の入力端が第２接続端子Ｔ２３，Ｔ２４に電気的に接続される。
【００３０】
ここで、一対の第２接続端子Ｔ２３，Ｔ２４のうち、第２接続端子Ｔ２３が高電位側の接続端子となり、第２接続端子Ｔ２４が低電位側の接続端子となる。そして、高電位側の第２接続端子Ｔ２３は、第１機器２１の高電位側のバスラインＬ１に接続された接続端子Ｔ１１に、電線Ｌ３を介して電気的に接続される。低電位側の第２接続端子Ｔ２４は、第１機器２１の低電位側のバスラインＬ２に接続された接続端子Ｔ１２に、電線Ｌ４を介して電気的に接続される。図１では、電線Ｌ３，Ｌ４が正しく配線されている状態を実線で示している。
【００３１】
第２制御回路２２２は、第１機器２１の第１制御回路２１３から入力される制御信号などに基づいて、ＤＣ／ＤＣコンバータ２２１の動作を制御する。第２制御回路２２２は、例えば、ＣＰＵとメモリとを有するマイクロコンピュータを備えている。ＣＰＵがメモリに格納されているプログラムを実行することによって、第２制御回路２２２の機能が実現される。ＣＰＵが実行するプログラムは、例えば、マイクロコンピュータのメモリにあらかじめ記憶されているが、インターネットなどの電気通信回線を通じて提供されてもよいし、メモリカード等の記録媒体に記録されて提供されてもよい。
【００３２】
第２通信回路２２３は、例えば、第１通信回路２１４と同じ通信方式で通信を行う通信モジュールを備えており、第１機器２１の第１通信回路２１４との間で無線通信又は有線通信を行う。
【００３３】
ダイオードＤ２は、第２接続端子Ｔ２３，Ｔ２４の間に接続されている。ダイオードＤ２のカソードが高電位側の第２接続端子Ｔ２３に電気的に接続され、ダイオードＤ２のアノードが低電位側の第２接続端子Ｔ２４に電気的に接続されている。ここで、第２機器２２において、内部回路であるＤＣ／ＤＣコンバータ２２１は、有極性の電解コンデンサからなるコンデンサＣ２１を出力端に備えている。ダイオードＤ２は低電位側の接続端子Ｔ２４からコンデンサＣ２１を通らずに高電位側の接続端子Ｔ２３へと電流が流れる電流経路に接続されている。なお、ダイオードＤ２は、互いに並列に接続された複数のダイオードで構成されてもよく、個々のダイオードに流れる電流を低減できる。
【００３４】
（２）動作
本実施形態の電力変換システム１の動作について以下に説明する。まず、第１機器２１の接続端子Ｔ１１，Ｔ１２が、第２機器２２の第２接続端子Ｔ２３，Ｔ２４にそれぞれ電気的に接続されている場合、つまり第１機器２１と第２機器２２とが正常に接続されている場合の動作について説明する。
【００３５】
第１機器２１の第１制御回路２１３は、ＤＣ／ＤＣコンバータ２１１及びＤＣ／ＡＣコンバータ２１２の動作を制御する。
【００３６】
ＤＣ／ＤＣコンバータ２１１は太陽光発電装置１１の出力電圧を所定の電圧値の直流電圧に変換する。第１通信回路２１４が電力事業者から出力の抑制指令を受信していない場合、第１制御回路２１３はＤＣ／ＡＣコンバータ２１２に変換動作を行わせ、ＤＣ／ＡＣコンバータ２１２がＤＣ／ＤＣコンバータ２１１の出力電圧を交流電圧に変換する。ＤＣ／ＡＣコンバータ２１２の出力は、需要家施設Ｆ１内の負荷３０で消費されるか、交流電源１００に出力（つまり、逆潮流）される。
【００３７】
例えば、太陽光発電装置１１の発電電力が、負荷３０の消費電力以下である場合には、太陽光発電装置１１の発電電力は負荷３０で消費され、不足分は交流電源１００から供給される。ここで、蓄電池ユニット１２から不足分を供給可能な場合、第１制御回路２１３は、第２機器２２を制御して蓄電池ユニット１２から放電させてもよい。第１制御回路２１３は、蓄電池ユニット１２から放電させるための制御信号を、第１通信回路２１４から第２機器２２に送信する。第２機器２２の第２通信回路２２３が第１機器２１からの制御信号を受信すると、第２制御回路２２２がＤＣ／ＤＣコンバータ２２１を制御して蓄電池ユニット１２から放電させる。ＤＣ／ＤＣコンバータ２２１は、蓄電池ユニット１２から出力される直流電圧を所定の電圧値の直流電圧に変換して、第１機器２１に出力する。これにより、ＤＣ／ＡＣコンバータ２１２は、ＤＣ／ＤＣコンバータ２１１とＤＣ／ＤＣコンバータ２２１とから入力される直流電圧を交流に変換して出力する。
【００３８】
また、太陽光発電装置１１の発電電力が、負荷３０の消費電力を超えている場合、太陽光発電装置１１の発電電力は負荷３０で消費され、余剰分が交流電源１００に出力（逆潮流）される。
【００３９】
一方、第１通信回路２１４が電力事業者から出力の抑制指令を受信している場合、第１制御回路２１３はＤＣ／ＡＣコンバータ２１２の変換動作を制限する。例えば、負荷３０の消費電力と、交流電源１００への逆潮流が可能な最大電力との合計電力を、太陽光発電装置１１の発電電力が上回っている場合、第１制御回路２１３は、発電電力の余剰分を蓄電池ユニット１２に充電する。このとき、第１制御回路２１３は、第２機器２２を制御する制御信号を、第１通信回路２１４から第２機器２２に送信する。第２機器２２の第２通信回路２２３が第１機器２１からの制御信号を受信すると、第２機器２２の第２制御回路２２２がＤＣ／ＤＣコンバータ２２１を制御する。ＤＣ／ＤＣコンバータ２２１は、第１機器２１から入力される直流電圧を所定の直流電圧に変換して、蓄電池ユニット１２を充電する。
【００４０】
次に、第１機器２１と第２機器２２とを接続する場合に誤配線が発生した場合、つまり図１に点線で示すように接続端子Ｔ１１が接続端子Ｔ２４に接続され、接続端子Ｔ１２が接続端子Ｔ２３に接続された場合の動作について以下に説明する。
【００４１】
接続端子Ｔ１１，Ｔ１２間にダイオードＤ１が接続されていない場合に、第１機器２１が電源となってＤＣ／ＤＣコンバータ２１１から例えばＤＣ３００Ｖの直流電圧Ｖ１が出力されると、接続端子Ｔ２３の電圧は（−Ｖ１）となる。そのため、ＤＣ／ＤＣコンバータ２２１が備える有極性のコンデンサＣ２１に逆極性の大電圧が加わる可能性がある。
【００４２】
一方、本実施形態の電力変換システム１では、第１機器２１において接続端子Ｔ１１，Ｔ１２間にダイオードＤ１が接続され、第２機器２２において第２接続端子Ｔ２３，Ｔ２４間にダイオードＤ２が接続されている。したがって、誤配線が発生している状態で第１機器２１が電源となって第２機器２２に直流電圧を出力する場合は、図２に破線ＲＴ１で示すように、接続端子Ｔ２４→ダイオードＤ２→接続端子Ｔ２３の電流経路で電流が流れる。このとき、接続端子Ｔ２３の電圧は（−Ｖｆ２）にクランプされるので、内部回路であるＤＣ／ＤＣコンバータ２２１を保護できる。
【００４３】
また、誤配線が発生している状態で第２機器２２が電源となって第１機器２１に直流電圧を出力する場合は、接続端子Ｔ１２→ダイオードＤ１→接続端子Ｔ１１の電流経路で電流が流れる。このとき、接続端子Ｔ１１の電圧は（−Ｖｆ１）にクランプされるので、内部回路であるＤＣ／ＤＣコンバータ２１１及びＤＣ／ＡＣコンバータ２１２を保護できる。電圧Ｖｆ１はダイオードＤ１の順方向電圧（約０．６Ｖ）である。
【００４４】
上述のように、本実施形態では、第１機器２１及び第２機器２２において誤配線が発生した場合でも、ダイオードＤ１，Ｄ２によってコンデンサＣ１１，Ｃ１２に逆極性の大電圧が印加されるのを防止できる。したがって、有極性の電解コンデンサであるコンデンサＣ１１，Ｃ１２を保護できる。
【００４５】
また、接続端子Ｔ１１，Ｔ１２に誤って交流電源が接続された場合でも、有極性のコンデンサＣ１１，Ｃ１２に印加される逆極性の電圧が（−Ｖｆ１）に制限されるので、内部回路を保護できる。同様に、接続端子Ｔ２３，Ｔ２４に誤って交流電源が接続された場合でも、有極性のコンデンサＣ２１に印加される逆極性の電圧が（−Ｖｆ２）に制限されるので、内部回路を保護できる。電圧Ｖｆ２はダイオードＤ２の順方向電圧（約０．６Ｖ）である。
【００４６】
（３）変形例
以下に、上記実施形態の変形例に係る電気機器を列記する。なお、以下に説明する変形例の各構成は、上記実施形態で説明した各構成と適宜組み合わせて適用可能である。
【００４７】
（３．１）変形例１
図３は、変形例１に係る電気機器を備える電力変換システム１Ａのシステム構成図である。以下、上記実施形態の電力変換システム１と同様の構成については、共通の符号を付して適宜説明を省略する。
【００４８】
上記実施形態では、第１機器２１において、内部回路であるＤＣ／ＤＣコンバータ２１１及びＤＣ／ＡＣコンバータ２１２と接続端子Ｔ１１，Ｔ１２との間にダイオードＤ１が接続されている。
【００４９】
一方、変形例１では、図３に示すように、内部回路であるＤＣ／ＤＣコンバータ２１１がダイオードＤ１１を備え、このダイオードＤ１１が接続端子Ｔ１１，Ｔ１２の間に電気的に接続されている。また、内部回路であるＤＣ／ＡＣコンバータ２１２がダイオードＤ１２を備え、このダイオードＤ１２が接続端子Ｔ１１，Ｔ１２の間に電気的に接続されている。ここで、ダイオードＤ１１，Ｄ１２のカソードは、高電位側の接続端子Ｔ１１に接続されており、ダイオードＤ１１，Ｄ１２のアノードは、低電位側の接続端子Ｔ１２に接続されている。すなわち、変形例１では、内部回路であるＤＣ／ＤＣコンバータ２１１及びＤＣ／ＡＣコンバータ２１２がそれぞれ備えるダイオードＤ１１，Ｄ１２で、誤配線の発生時に内部回路に加わる逆極性の電圧を制限するダイオードを兼用しており、部品数を少なくできる。なお、ダイオードＤ１１は、互いに並列に接続された複数のダイオードで構成されてもよく、個々のダイオードに流れる電流を低減できる。同様に、ダイオードＤ１２は、互いに並列に接続された複数のダイオードで構成されてもよく、個々のダイオードに流れる電流を低減できる。
【００５０】
この変形例１においても、第２接続端子Ｔ２３が接続端子Ｔ１２に誤接続され、第２接続端子Ｔ２４が接続端子Ｔ１１に誤接続された状態で、第２機器２２が電源となっている場合には、高電位側の第１接続端子Ｔ１１の電圧は（−Ｖｆ１０）でクランプされる。ここで、電圧Ｖｆ１０はダイオードＤ１１，Ｄ１２の順方向電圧（約０．６Ｖ）である。よって、誤配線が発生した場合でも、ＤＣ／ＤＣコンバータ２１１及びＤＣ／ＡＣコンバータ２１２に印加される逆極性の電圧を（−Ｖｆ１０）に制限でき、ＤＣ／ＤＣコンバータ２１１及びＤＣ／ＡＣコンバータ２１２を保護できる。
【００５１】
ここで、ダイオードＤ１１，Ｄ１２を通って電流が流れる経路にコンデンサが接続されている場合には、このコンデンサには無極性のコンデンサとする必要がある。
【００５２】
なお、第２機器２２のダイオードＤ２を、内部回路であるＤＣ／ＤＣコンバータ２２１が備えるダイオードで兼用してもよく、部品数を少なくできる。
【００５３】
（３．２）変形例２
図４は、変形例２に係る電気機器（第１機器２１及び第２機器２２）を備える電力変換システム１Ｂの要部の回路図である。以下、上記実施形態及び変形例１の電力変換システム１と同様の構成については、共通の符号を付して適宜説明を省略する。
【００５４】
変形例２の電力変換システム１Ｂでは、電気機器である第１機器２１及び第２機器２２が、ダイオードＤ１，Ｄ２にそれぞれ過電流が流れないように保護動作を行う過電流保護部品として電流ヒューズＦ１，Ｆ２をそれぞれ備えている。
【００５５】
電流ヒューズＦ１の一端は接続端子Ｔ１１に接続され、電流ヒューズＦ１の他端はダイオードＤ１のカソードに接続されている。電流ヒューズＦ１に所定の遮断電流を超える電流が流れると、ジュール熱によって電流ヒューズＦ１が溶断するので、ダイオードＤ１に流れる電流が電流ヒューズＦ１の遮断電流以下に制限される。
【００５６】
電流ヒューズＦ２の一端は接続端子Ｔ２３に接続され、電流ヒューズＦ２の他端はダイオードＤ２のカソードに接続されている。電流ヒューズＦ２に所定の遮断電流を超える電流が流れると、電流ヒューズＦ２が溶断するので、ダイオードＤ２に流れる電流が電流ヒューズＦ２の遮断電流以下に制限される。
【００５７】
ここで、第２接続端子Ｔ２３が接続端子Ｔ１２に誤接続され、第２接続端子Ｔ２４が接続端子Ｔ１１に誤接続された状態で第１機器２１が電源となって第２機器２２に直流電圧を出力する場合、図４に点線ＲＴ２で示す経路で電流が流れる。つまり、第２機器２２では、第２接続端子Ｔ２４→ダイオードＤ２→第２接続端子Ｔ２３の経路で電流が流れ、第２接続端子Ｔ２４の電圧は（−Ｖｆ２）でクランプされるので、ＤＣ／ＤＣコンバータ２２１に逆極性の過電圧が加わるのを防止できる。この場合に、ダイオードＤ２に大電流が流れる可能性があるが、ダイオードＤ２に流れる電流が電流ヒューズＦ２の遮断電流を超えると電流ヒューズＦ２が溶断するので、ダイオードＤ２を保護できる。
【００５８】
また、誤配線が発生している状態で第２機器２２が電源となって第１機器２１に直流電圧を出力する場合、第１機器２１では、接続端子Ｔ１２→ダイオードＤ１→接続端子Ｔ１１の経路で電流が流れ、接続端子Ｔ１１の電圧は（−Ｖｆ１）でクランプされる。これにより、ＤＣ／ＤＣコンバータ２１１及びＤＣ／ＡＣコンバータ２１２に逆極性の過電圧が加わるのを防止できる。この場合に、ダイオードＤ１に大電流が流れる可能性があるが、ダイオードＤ１に流れる電流が電流ヒューズＦ１の遮断電流を超えると電流ヒューズＦ１が溶断するので、ダイオードＤ１を保護できる。
【００５９】
（３．３）その他の変形例
上記実施形態及び変形例１〜２では、需要家施設Ｆ１が戸建て住宅である場合を説明したが、需要家施設Ｆ１は集合住宅の住戸でもよいし、オフィスビルや商業ビルのテナントであってもよい。
【００６０】
また、上記実施形態及び変形例１〜２において、第１機器２１は、ＤＣ／ＤＣコンバータ２１１とＤＣ／ＡＣコンバータ２１２とを備えているが、第１機器２１はＤＣ／ＡＣコンバータ２１２のみを備えていてもよい。この場合、ＤＣ／ＤＣコンバータ２１１は、ＤＣ／ＡＣコンバータ２１２とは別の機器に備えられており、ＤＣ／ＤＣコンバータ２１１を備える機器を第１機器２１に接続すればよい。このように、ＤＣ／ＤＣコンバータ２１１，２２１及びＤＣ／ＡＣコンバータ２１２がそれぞれモジュール化されていれば、ＤＣ／ＡＣコンバータ２１２を備える第１機器２１に対して、所望の分散電源のＤＣ／ＤＣコンバータを接続して使用することができる。
【００６１】
また、上記実施形態及び変形例１〜２において、第１機器２１及び第２機器２２は、直流電力が入力される入力回路と直流電圧を出力する出力回路との少なくとも一方を備えていればよく、内部回路の構成は適宜変更が可能である。
【００６２】
（実施形態２）
（１）構成
実施形態２に係る電気機器及びそれが備える端子台について図面を参照して詳しく説明する。以下、上記実施形態（変形例を含む）と同様の構成については、共通の符号を付して適宜説明を省略する。
【００６３】
図５は、実施形態２に係る電気機器（第２機器２２）の要部の説明図である。
【００６４】
第２機器２２は、一対の接続端子Ｔ２３，Ｔ２４を有する端子台２１５（図５参照）を備えている。端子台２１５は、絶縁性の合成樹脂（例えばポリカーボネート樹脂など）で形成された本体２１６を備えている。本体２１６の上面には、一対の端子板２１７，２１８が並べて取り付けられている。一方の端子板２１７には、ねじ端子である接続端子Ｔ２３，Ｔ２５が取り付けられており、他方の端子板２１８には、ねじ端子である接続端子Ｔ２４，Ｔ２６が取り付けられている。接続端子Ｔ２５，Ｔ２６には、接続端子Ｔ２５，Ｔ２６とＤＣ／ＤＣコンバータ２２１との間を電気的に接続する電線が接続される。接続端子Ｔ２３，Ｔ２４には、第２機器２２と第１機器２１との間を電気的に接続する電線が接続される。そして、接続端子Ｔ２５と接続端子Ｔ２６との間にはダイオードＤ２が取り付けられている。
【００６５】
このように、ダイオードＤ２は、第１機器２１と第２機器２２との間を電気的に接続する電線が接続される端子台２１５に備えられている。したがって、接続端子Ｔ２３，Ｔ２４に電線が誤接続された場合でも、電線が接続される接続端子Ｔ２３，Ｔ２４の近傍にダイオードＤ２が接続されているから、内部回路であるＤＣ／ＤＣコンバータ２２１を確実に保護できる。また、ダイオードＤ２は端子台２１５に備えられているので、ダイオードＤ２を取付ける作業の手間が少なくなる。
【００６６】
なお、図５の例では接続端子Ｔ２５，Ｔ２６にダイオードＤ２が接続されているが、端子板２１７と端子板２１８とにダイオードＤ２が半田付けされていてもよく、ダイオードＤ２が誤って外されにくくなる。また、端子台２１５の本体２１６の裏側にダイオードＤ２が取り付けられてもよく、ダイオードＤ２が誤って外されにくくなる。
【００６７】
なお、実施形態２の構成を第１機器２１に適用してもよく、第１機器２１が備える端子台にダイオードＤ１を保持させてもよい。
【００６８】
（２．１）変形例１
上記実施形態では、第２機器２２の端子台２１５にダイオードＤ２が保持されているが、ダイオードＤ２の代わりに、実施形態１で説明した電流ヒューズＦ２が保持されてもよい。
【００６９】
図６は、変形例１に係る電気機器（第２機器２２）の要部の説明図である。以下、上記実施形態と同様の構成については、共通の符号を付して適宜説明を省略する。
【００７０】
第２機器２２は、一対の接続端子Ｔ２３，Ｔ２４を有する端子台２１５Ａ（図６参照）を備えている。端子台２１５Ａは、絶縁性の合成樹脂（例えばポリカーボネート樹脂など）で形成された本体２１６を備えている。本体２１６の上面には、電流ヒューズＦ２の機能を有する端子板２１７Ａと、端子板２１８とが並べて取り付けられている。
【００７１】
端子板２１７Ａは長手方向の中間部に幅が狭い部分を有しており、端子板２１７Ａに所定の遮断電流を超える電流が流れると、ジュール熱によって端子板２１７Ａが溶断するので、ダイオードＤ２に流れる電流が遮断電流以下に制限される。
【００７２】
端子板２１７Ａには、ねじ端子である接続端子Ｔ２３，Ｔ２５が取り付けられており、端子板２１８には、ねじ端子である接続端子Ｔ２４，Ｔ２６が取り付けられている。接続端子Ｔ２５，Ｔ２６には、接続端子Ｔ２５，Ｔ２６とＤＣ／ＤＣコンバータ２１１との間を電気的に接続する電線が接続される。接続端子Ｔ２３，Ｔ２４には、第２機器２２と第１機器２１との間を電気的に接続する電線が接続される。接続端子Ｔ２５に接続される電線Ｌ１１と、接続端子Ｔ２６に接続される電線Ｌ１２との間には、カソードが電線Ｌ１１に接続されるようにして、ダイオードＤ２が接続されている。
【００７３】
このように、電流ヒューズＦ２となる端子板２１７Ａは端子台２１５Ａに備えられているので、電流ヒューズＦ２を取付ける作業の手間が少なくなる。電流ヒューズＦ２は端子板２１７Ａと兼用されるものに限定されず、ガラス管入りヒューズ、面実装タイプのヒューズなどでもよい。
【００７４】
なお、本変形例の構成を第１機器２１に適用してもよく、第１機器２１が備える端子台に電流ヒューズＦ１を保持させてもよい。
【００７５】
（２．２）変形例２
上記実施形態では、第２機器２２の端子台２１５にダイオードＤ２が設けられていたが、ダイオードＤ２と電流ヒューズＦ２の両方が端子台２１５Ｂに設けられてもよい。
【００７６】
図７は、変形例２に係る電気機器（第２機器２２）の要部の説明図である。
【００７７】
第２機器２２は、一対の接続端子Ｔ２３，Ｔ２４を有する端子台２１５Ｂ（図７参照）を備えている。端子台２１５Ｂは、絶縁性の合成樹脂（例えばポリカーボネート樹脂など）で形成された本体２１６を備えている。本体２１６の上面には、電流ヒューズＦ２の機能を有する端子板２１７Ａと、端子板２１８とが並べて取り付けられている。
【００７８】
端子板２１７Ａは長手方向の中間部に幅が狭い部分を有しており、端子板２１７Ａに所定の遮断電流を超える電流が流れると、ジュール熱によって端子板２１７Ａが溶断するので、ダイオードＤ２に流れる電流が遮断電流以下に制限される。
【００７９】
端子板２１７Ａには、ねじ端子である接続端子Ｔ２３，Ｔ２５が取り付けられており、端子板２１８には、ねじ端子である接続端子Ｔ２４，Ｔ２６が取り付けられている。接続端子Ｔ２５，Ｔ２６には、接続端子Ｔ２５，Ｔ２６とＤＣ／ＤＣコンバータ２２１との間を電気的に接続する電線が接続される。接続端子Ｔ２３，Ｔ２４には、第２機器２２と第１機器２１との間を電気的に接続する電線が接続される。そして、接続端子Ｔ２５と接続端子Ｔ２６との間にはダイオードＤ２が取り付けられている。
【００８０】
このように、ダイオードＤ２は、第１機器２１と第２機器２２との間を電気的に接続する電線が接続される端子台２１５Ｂに備えられている。したがって、接続端子Ｔ２３，Ｔ２４に電線が誤接続された場合でも、電線が接続される接続端子Ｔ２３，Ｔ２４の近傍にダイオードＤ２が接続されているから、内部回路であるＤＣ／ＤＣコンバータ２２１を確実に保護できる。また、ダイオードＤ２は端子台２１５Ｂに備えられているので、ダイオードＤ２を取付ける作業の手間が少なくなる。
【００８１】
なお、図７の例では接続端子Ｔ２５，Ｔ２６にダイオードＤ２が接続されているが、端子板２１７と端子板２１８とにダイオードＤ２が半田付けされていてもよく、ダイオードＤ２が誤って外されにくくなる。また、端子台２１５の本体２１６の裏側にダイオードＤ２が取り付けられてもよく、ダイオードＤ２が誤って外されにくくなる。
【００８２】
また、電流ヒューズＦ２となる端子板２１７Ａは端子台２１５Ｂに備えられているので、電流ヒューズＦ２を取付ける作業の手間が少なくなる。電流ヒューズＦ２は端子板２１７Ａと兼用されるものに限定されず、ガラス管入りヒューズ、面実装タイプのヒューズなどでもよい。
【００８３】
なお、本変形例の構成を第１機器２１に適用してもよく、第１機器２１が備える端子台にダイオードＤ１と電流ヒューズＦ１とを保持させてもよい。
【００８４】
（２．３）変形例３
実施形態２及び変形例１，２において、第２機器２２の端子台２１５に過電圧保護のためのバリスタ２１９（過電圧保護部品）が設けられてもよい。
【００８５】
図８は、変形例３に係る電気機器（第２機器２２）の要部の説明図である。
【００８６】
第２機器２２は、一対の接続端子Ｔ２３，Ｔ２４を有する端子台２１５Ｃ（図８参照）を備えている。端子台２１５Ｃは、絶縁性の合成樹脂（例えばポリカーボネート樹脂など）で形成された本体２１６を備えている。本体２１６の上面には、一対の端子板２１７，２１８が並べて取り付けられている。一方の端子板２１７には、ねじ端子である接続端子Ｔ２３，Ｔ２５が取り付けられており、他方の端子板２１８には、ねじ端子である接続端子Ｔ２４，Ｔ２６が取り付けられている。接続端子Ｔ２５，Ｔ２６には、接続端子Ｔ２５，Ｔ２６とＤＣ／ＤＣコンバータ２２１との間を電気的に接続する電線が接続される。接続端子Ｔ２３，Ｔ２４には、第２機器２２と第１機器２１との間を電気的に接続する電線が接続される。そして、接続端子Ｔ２５と接続端子Ｔ２６との間にはダイオードＤ２とバリスタ２１９とが取り付けられている。
【００８７】
このように、過電圧保護部品であるバリスタ２１９は接続端子Ｔ２５と接続端子Ｔ２６との間に接続されている。接続端子Ｔ２５，Ｔ２６間に印加される電圧が所定電圧（短絡電圧などの過電圧）を超えると、バリスタ２１９の電気抵抗が急激に低下することで、ＤＣ／ＤＣコンバータ２２１などの内部回路を保護することができる。
【００８８】
本変形例では端子台２１５に過電圧保護部品としてバリスタ２１９が設けられているが、過電圧保護部品はバリスタ２１９に限定されず、サージアブゾーバ、アレスタなどでもよい。また、図８の例では接続端子Ｔ２５，Ｔ２６にバリスタ２１９が接続されているが、端子板２１７と端子板２１８とにバリスタ２１９が半田付けされていてもよく、バリスタ２１９が誤って外されにくくなる。また、端子台２１５Ｃの本体２１６の裏側にバリスタ２１９が取り付けられてもよく、バリスタ２１９が誤って外されにくくなる。
【００８９】
なお、本変形例の構成を第１機器２１に適用してもよく、第１機器２１が備える端子台にダイオードＤ１と過電圧保護部品とを保持させてもよい。
【００９０】
なお、変形例３で説明した構成は変形例１，２にも適用可能である。
【００９１】
また、実施形態２で説明した構成（変形例を含む）は、実施形態１で説明した構成（変形例を含む）と適宜組み合わせて適用である。
【００９２】
（まとめ）
以上説明したように、第１の態様の電気機器（２１，２２）は、内部回路（２１１，２１２，２２１）と、一対の接続端子（Ｔ１１，Ｔ１２，Ｔ２３，Ｔ２４）と、ダイオード（Ｄ１，Ｄ２，Ｄ１１，Ｄ１２）と、を備える。内部回路（２１１，２１２，２２１）は、直流電圧が入力される入力回路（２１２，２２１）及び直流電圧を出力する出力回路（２１１，２２１）の少なくとも一方を有する。一対の接続端子（Ｔ１１，Ｔ１２，Ｔ２３，Ｔ２４）は、入力回路（２１２，２２１）の入力端と出力回路（２１１，２２１）の出力端との少なくとも一方に電気的に接続される。ダイオード（Ｄ１，Ｄ２，Ｄ１１，Ｄ１２）は、一対の接続端子（Ｔ１１，Ｔ１２，Ｔ２３，Ｔ２４）のうち高電位側の接続端子（Ｔ１１，Ｔ２３）にカソードが接続されるように、一対の接続端子（Ｔ１１，Ｔ１２，Ｔ２３，Ｔ２４）の間に接続されている。
【００９３】
この構成によれば、高電位側の接続端子（Ｔ１１，Ｔ２３）と低電位側の接続端子（Ｔ１２，Ｔ２４）とに逆極性が電線が誤接続された場合でも、一対の接続端子間の電圧がダイオード（Ｄ１，Ｄ２，Ｄ１１，Ｄ１２）によって制限される。したがって、内部回路に逆極性の大電圧が印加されにくくなり、内部回路を保護できる。
【００９４】
第２の態様の電気機器（２１，２２）は、第１の態様において、ダイオード（Ｄ１，Ｄ２，Ｄ１１，Ｄ１２）に過電流が流れると保護動作を行う過電流保護部品（Ｆ１，Ｆ２）を、更に備える。
【００９５】
この構成によれば、過電流保護部品（Ｆ１，Ｆ２）によってダイオード（Ｄ１，Ｄ２，Ｄ１１，Ｄ１２）を保護することができる。
【００９６】
第３の態様の電気機器（２１，２２）は、第１又は第２の態様において、一対の接続端子（Ｔ１１，Ｔ１２，Ｔ２３，Ｔ２４）を有する端子台（２１５，２１５Ａ，２１５Ｂ，２１５Ｃ）を、更に備える。端子台（２１５，２１５Ａ，２１５Ｂ，２１５Ｃ）にダイオード（Ｄ１，Ｄ２，Ｄ１１，Ｄ１２）が設けられている。
【００９７】
この構成によれば、端子台（２１５，２１５Ａ，２１５Ｂ，２１５Ｃ）にダイオード（Ｄ１，Ｄ２，Ｄ１１，Ｄ１２）が設けられているので、誤接続が発生した場合に内部回路に逆極性の大電圧が印加されにくくなり、内部回路をより確実に保護できる。また、ダイオード（Ｄ１，Ｄ２，Ｄ１１，Ｄ１２）を支持するための部品を別に用意する必要がなく、ダイオード（Ｄ１，Ｄ２，Ｄ１１，Ｄ１２）を取り付ける作業を容易に行うことができる。
【００９８】
第４の態様の電気機器（２１，２２）は、第２の態様において、一対の接続端子（Ｔ１１，Ｔ１２，Ｔ２３，Ｔ２４）を有する端子台（２１５，２１５Ａ，２１５Ｂ，２１５Ｃ）を、更に備える。端子台（２１５，２１５Ａ，２１５Ｂ，２１５Ｃ）に過電流保護部品（Ｆ１，Ｆ２）が設けられている。
【００９９】
この構成によれば、過電流保護部品（Ｆ１，Ｆ２）を支持するための部品を別に用意する必要がなく、過電流保護部品（Ｆ１，Ｆ２）を取り付ける作業を容易に行うことができる。
【０１００】
第５の態様の電気機器（２１，２２）は、第２の態様において、一対の接続端子（Ｔ１１，Ｔ１２，Ｔ２３，Ｔ２４）を有する端子台（２１５，２１５Ａ，２１５Ｂ，２１５Ｃ）を、更に備える。端子台（２１５，２１５Ａ，２１５Ｂ，２１５Ｃ）にダイオード（Ｄ１，Ｄ２，Ｄ１１，Ｄ１２）と過電流保護部品（Ｆ１，Ｆ２）とが設けられている。
【０１０１】
この構成によれば、ダイオード（Ｄ１，Ｄ２，Ｄ１１，Ｄ１２）及び過電流保護部品（Ｆ１，Ｆ２）を支持するための部品を別に用意する必要がない。したがって、ダイオード（Ｄ１，Ｄ２，Ｄ１１，Ｄ１２）及び過電流保護部品（Ｆ１，Ｆ２）を取り付ける作業を容易に行うことができる。
【０１０２】
第６の態様の電気機器（２１，２２）では、第３〜５のいずれかの態様において、端子台（２１５，２１５Ａ，２１５Ｂ，２１５Ｃ）に、過電圧保護部品（２１９）が設けられている。過電圧保護部品（２１９）は一対の接続端子（Ｔ１１，Ｔ１２，Ｔ２３，Ｔ２４）の間に過電圧が印加されると保護動作を行う。
【０１０３】
この構成によれば、過電圧保護部品（２１９）が、一対の接続端子（Ｔ１１，Ｔ１２，Ｔ２３，Ｔ２４）に加えられる過電圧から内部回路（２１１，２１２，２２１）を保護することができる。また、過電圧保護部品（２１９）を支持するための部品を別に用意する必要がないので、過電圧保護部品（２１９）を取り付ける作業を容易に行うことができる。
【０１０４】
第７の態様の電気機器（２１，２２）では、第１〜第６のいずれかの態様において、内部回路（２１１，２１２，２２１）が有極性のコンデンサ（Ｃ１１，Ｃ１２，Ｃ２１）を備えている。ダイオード（Ｄ１，Ｄ２，Ｄ１１，Ｄ１２）は、一対の接続端子（Ｔ１１，Ｔ１２，Ｔ２３，Ｔ２４）のうち低電位側の接続端子（Ｔ１２，Ｔ２４）からコンデンサ（Ｃ１１，Ｃ１２，Ｃ２１）を通らずに高電位側の接続端子（Ｔ１１，Ｔ２３）へと電流が流れる電流経路（ＲＴ１，ＲＴ２）に接続されている。
【０１０５】
この構成によれば、誤接続が発生した場合に、内部回路（２１１，２１２，２２１）が備える有極性のコンデンサ（Ｃ１１，Ｃ１２，Ｃ２１）に逆極性の大電圧が加わりにくくなり、有極性のコンデンサ（Ｃ１１，Ｃ１２，Ｃ２１）を保護できる。
【０１０６】
第２〜第７の態様に係る構成については、電気機器（２１，２２）に必須の構成ではなく、適宜省略可能である。
【０１０７】
第８の態様の電力変換システム（１，１Ａ，１Ｂ）は、第１〜第７のいずれかの態様の電気機器（２１，２２）を備え、直流電力と交流電力との電力変換を行う。
【０１０８】
この構成によれば、誤接続が発生した場合でも、内部回路に逆極性の大電圧が印加されにくくなり、内部回路を保護できる。
【０１０９】
第９の態様の電力変換システム（１，１Ａ，１Ｂ）は、第８の態様において、複数の電気機器（２１，２２）を備える。複数の電気機器（２１，２２）は、直流を交流に変換するＤＣ／ＡＣコンバータ（２１２）を入力回路として備える第１機器（２１）と、直流を直流に変換するＤＣ／ＤＣコンバータ（２２１）を出力回路として備える第２機器（２２）とを含む。第１機器（２１）の一対の接続端子（Ｔ１１，Ｔ１２）と、第２機器（２２）の一対の接続端子（Ｔ２３，Ｔ２４）とが電気的に接続されている。第１機器（２１）のＤＣ／ＡＣコンバータ（２１２）は、第２機器（２２）のＤＣ／ＤＣコンバータ（２２１）から入力される直流を交流に変換する。
【０１１０】
この構成によれば、第１機器（２１）と第２機器（２２）とを接続する場合に誤接続が発生したとしても、内部回路に逆極性の大電圧が印加されにくくなり、内部回路を保護できる。
【０１１１】
第１０の態様の電力変換システム（１，１Ａ，１Ｂ）では、第９の態様において、第１機器（２１）は、出力回路として、直流を直流に変換するＤＣ／ＤＣコンバータ（２１１）を更に備える。第１機器（２１）のＤＣ／ＡＣコンバータ（２１２）は、第２機器（２２）のＤＣ／ＤＣコンバータ（２２１）と第１機器（２１）のＤＣ／ＤＣコンバータ（２１１）との少なくとも一方から入力される直流を交流に変換する。
【０１１２】
この構成によれば、第１機器（２１）と第２機器（２２）とを接続する場合に誤接続が発生した場合でも、内部回路に逆極性の大電圧が印加されにくくなり、内部回路を保護できる。
【０１１３】
第９〜第１０の態様に係る構成については、電力変換システムに必須の構成ではなく、適宜省略可能である。
【０１１４】
第１１の態様の端子台（２１５，２１５Ａ，２１５Ｂ，２１５Ｃ）は、第３〜第６のいずれかの態様の電気機器（２１，２２）に備えられる。端子台（２１５，２１５Ａ，２１５Ｂ，２１５Ｃ）は、一対の接続端子（Ｔ２３，Ｔ２４）と、一対の接続端子（Ｔ２３，Ｔ２４）を保持する本体（２１６）と、を備える。
【０１１５】
この構成によれば、一対の接続端子（Ｔ２３，Ｔ２４）に逆極性の電線が接続された場合でも、内部回路に逆極性の大電圧が印加されにくくなり、内部回路を保護できる。
【符号の説明】
【０１１６】
１，１Ａ，１Ｂ  電力変換システム
２１  第１機器（電気機器）
２２  第２機器（電気機器）
２１１  ＤＣ／ＤＣコンバータ（内部回路、出力回路）
２１２  ＤＣ／ＡＣコンバータ（内部回路、入力回路）
２１３  第１制御回路
２１５，２１５Ａ，２１５Ｂ  端子台
２１６  本体
２１９  バリスタ（過電圧保護部品）
２２１  ＤＣ／ＤＣコンバータ（内部回路、出力回路）
２２２  第２制御回路
Ｄ１，Ｄ２，Ｄ１１，Ｄ１２  ダイオード
Ｆ１，Ｆ２  ヒューズ（過電流保護部品）
Ｔ１１，Ｔ１１  接続端子
Ｔ２１，Ｔ２２  第１接続端子（接続端子）
Ｔ２３，Ｔ２３  第２接続端子（接続端子）
【図１】
2018170938.tif 000003
【図２】
2018170938.tif 000004
【図３】
2018170938.tif 000005
【図４】
2018170938.tif 000006
【図５】
2018170938.tif 000007
【図６】
2018170938.tif 000008
【図７】
2018170938.tif 000009
【図８】
2018170938.tif 000010